Podtech/llm-jp-corpus-v4-ja_patent huggingface dataset:
【手続補正書】
【提出日】平成18年11月30日(2006.11.30)
【手続補正１】
【補正対象書類名】明細書
【補正対象項目名】００２８
【補正方法】変更
【補正の内容】
【００２８】
【発明の実施の形態】
＜第１の実施形態＞
図１は、本発明の画像処理装置の一実施形態であるデジタルカメラの電気回路の構成例を表わすブロック図である。図１において、１は撮影レンズ、１２は絞り機構、１３は被写体の電子的な画像情報を得るための撮像素子（撮像手段）であり、例えばＣＣＤ或いはＣＭＯＳ等の半導体によるエリア配列された蓄積型の光電変換素子と原色または補色のカラーフィルタ、及び光電変換素子の電荷蓄積制御用の回路などから構成される。
【手続補正２】
【補正対象書類名】明細書
【補正対象項目名】００２９
【補正方法】変更
【補正の内容】
【００２９】
１４は撮像素子１３の出力信号が入力される信号処理部（入力手段）である。信号処理部１４は撮像素子１３の出力信号をＡ／Ｄ変換してさらに画素補完演算など必要な信号処理を行った上で、画像情報を画像処理部１６に出力する。画像処理部１６は画像情報に対する色合い調整や彩度調整或いはコントラスト調整やエッジ強調（輪郭強調）などの各種の画像処理を施したり、１７の記憶手段に対して画像情報の記憶や読み出しを行うために画像情報の圧縮や伸長等の画像データの変換処理を行う。
【手続補正３】
【補正対象書類名】明細書
【補正対象項目名】００３９
【補正方法】変更
【補正の内容】
【００３９】
次に、制御手段１８は、信号蓄積の終了を待つ（ステップＳ１１１）。終了するとステップＳ１１２へ進む。ステップＳ１１２では、制御手段１８は、蓄積された信号を信号処理部１４に転送し、Ａ／Ｄ変換すると共に、さらに画素補完演算などを行ってデジタル画像情報とする。制御手段１８は、得られたデジタル画像情報に対して各種の画像処理を施すように画像処理部１６を制御する（ステップＳ１１３）。画像処理の詳細は後に図４のフローチャートに従って説明する。画像処理を施された電子画像データを画像ファイルとして記憶手段１７に記憶する（ステップＳ１１４）。ステップＳ１１４は、出力手段の処理に対応する。これで一連の撮影シーケンスが終了する。
【手続補正４】
【補正対象書類名】明細書
【補正対象項目名】００４１
【補正方法】変更
【補正の内容】
【００４１】
次に、制御手段１８は、領域分割された各グループ毎の明度と彩度を算出する（ステップＳ１５２）。ステップＳ１５２は、算出手段の処理に対応する。デジタル画像情報がＲ、Ｇ、Ｂモードであった場合の例では、グループ化された各領域毎にＲ、Ｇ、Ｂの平均値を算出して、それぞれの領域のｒ、ｇ、ｂ輝度データとする。さらに各領域毎に求められたｒ、ｇ、ｂデータをいわゆる色空間変更の行列演算を行って明度Ｌ，色相Ｈ、彩度Ｓの各データに変換する。変換式は下記の通りである。
Ｌ＝７．３ｒ＋７．５９ｇ＋７．１１ｂ
ｃ１＝７．７ｒ−７．５９ｇ−７．１１ｂ
ｃ２＝−７．３ｒ−７．５９ｇ＋７．８９ｂ
Ｈ＝ｔａｎ-1（ｃ１，ｃ２）
Ｓ＝（ｃ１2＋ｃ２2）1/2
【手続補正５】
【補正対象書類名】明細書
【補正対象項目名】００４２
【補正方法】変更
【補正の内容】
【００４２】
制御手段１８は、前記ステップＳ１０７にて画面内各領域の焦点検出情報が得られている場合には、焦点検出情報をステップＳ１５１にて領域分割された各エリアに対応させて、撮影画面内の各エリアがカメラ（自装置）に対して近距離であるか遠距離であるかといった情報（距離情報）を得るようにする（ステップＳ１５３）。
【手続補正６】
【補正対象書類名】明細書
【補正対象項目名】００４３
【補正方法】変更
【補正の内容】
【００４３】
次に、制御手段１８は、姿勢検出センサ２３の情報（姿勢情報）を入力する（ステップＳ１５４）。これにより横位置に構えての撮影なのか、縦位置に構えての撮影なのかといった情報を得ることができて、撮影画面内の天地関係を正しく判別することができる。次に、制御手段１８は、前記ステップＳ１５２にて得られている各領域毎の明度Ｌと彩度Ｓのデータより、明度Ｌが所定値（第１所定値）より大きくかつ彩度Ｓが所定値（第２所定値）より小さい条件を満たす領域が存在するかどうかを判別する（ステップＳ１５５）。この条件（所定の条件）を満たす領域が存在する場合はステップＳ１５６へ進む。
【手続補正７】
【補正対象書類名】明細書
【補正対象項目名】００４４
【補正方法】変更
【補正の内容】
【００４４】
次に、制御手段１８は、前ステップにて抽出された明度Ｌが所定値より大きくかつ彩度Ｓが所定値より小さい条件を満たす各領域について、撮影画面内に入り込んだ曇り空部分であるかどうかの判定を行う（ステップＳ１５７）。ステップＳ１５７は、判別手段の処理に対応する。判定条件としてはステップＳ１５３で得られている焦点検出情報から推定される遠距離部分であること、さらにステップＳ１５４で得られている姿勢検出情報により画面の天側部分にあることと、画面内における天側部分にある高明度かつ低彩度領域からの連続性などを考慮してこれらの条件を満たす領域を曇り空部分と判別する。
【手続補正８】
【補正対象書類名】明細書
【補正対象項目名】００５７
【補正方法】変更
【補正の内容】
【００５７】
次に、画像処理部１６は、デジタル画像情報に対して彩度調整を行う（ステップＳ１８８）。このステップでは曇り空部分が存在するシーンなので調整前の画像は彩度が低い可能性が高く、よって強めに彩度調整を行う。このステップが終了するとステップＳ１８６へ進んでデジタル画像情報のデータ圧縮を行う。以上で第１の実施形態についての説明を終了する。なお、ステップＳ１８３〜Ｓ１８５、ステップＳ１８３〜Ｓ１８８の処理は、画像処理手段の処理に対応する。
【手続補正９】
【補正対象書類名】明細書
【補正対象項目名】００５９
【補正方法】変更
【補正の内容】
【００５９】
図６はこうした構成をとる場合のデジタルカメラの電気回路の構成例を表わすブロック図であり、図１にて示したものと比べると天候検出センサ２４（検出手段）が追加になり、その出力信号が制御手段１８に入力されている。天候検出センサの具体例としては特開平６−４０２８６号公報や特開平６−１７７４１６号公報などに開示されている光センサが適用できる。
【手続補正１０】
【補正対象書類名】明細書
【補正対象項目名】００６０
【補正方法】変更
【補正の内容】
【００６０】
これらの公報に開示されている光センサは、晴天時と曇天時とでは天空光に含まれる可視光領域と赤外光領域の光強度比率が異なることに着目し、赤外波長領域に感度を有するセンサ（第１センサ）と赤外波長領域に感度を持たない、即ちその領域以外の天空光を検出するセンサ（第２センサ）との出力比率（出力信号の比率）よりで天候判別しようとするものである。よって、天候検出センサ２４は、撮像画面とは必ずしも一致しなくとも比較的天空光が入射し易いような位置にレイアウトすればよい。このような光センサは比較的構成が単純でコスト的にも安価であり、先述した特開２０００−３２４８８号公報に開示される技術のように、天空画像を専用に撮影するＣＣＤのような大幅なコストアップを招くものではない。
【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】映像、音声を含むストリームを受信し、該ストリームをＭＰＥＧトランスポートストリーム形式にて蓄積手段に蓄積し、該蓄積ストリームを再生するデジタル放送受信機であって、上記ストリームを構成する各トランスポートパケットに時刻情報を付加し、これらを１つのファイルとして上記蓄積手段に蓄積し、該時刻情報で示される時刻が到来したとき、上記トランスポートパケットをＭＰＥＧでデコーダにてデコードするデジタル放送受信機。
【請求項２】上記ストリームの再生時に早送りを含むトリックプレイを行う際、トリックプレイ再生に必要なトランスポートストリームパケットを検索するための情報であるトリックプレイ制御情報を受信し、該制御情報を参照してトランスポートストリームパケットを検索する手段を設けたことを特徴とする請求項１記載のデジタル放送受信機。
【請求項３】上記トリックプレイ制御情報として、ストリームのダイジェスト再生を行うための情報を含み、該ダイジェスト再生情報をもって上記トランスポートストリームパケットのダイジェスト再生を可能とする請求項２記載のデジタル放送受信機。
【請求項４】上記トリックプレイ制御情報として、ストリームの一部の映像をインデックス情報としてサムネール表示するための情報を含み、上記トランスポートストリームパケットのサムネールダイジェスト再生を可能とする請求項２記載のデジタル放送受信機。
【請求項５】上記トリックプレイを行う際、トランスポートストリームパケットを検索するための情報を参照し、暗号化されたストリームの復号およびストリームの解析を不要とし、処理負荷を軽減することを特徴とする請求項２記載のデジタル放送受信機。
【請求項６】ＤＳＭ−ＣＣデータカルーセルによるファイル配信およびリアルタイムＰＥＳストリームによる配信されたストリームの受信、蓄積が可能な請求項１記載のデジタル放送受信機。
【請求項７】
映像や音声の情報を含むコンテンツをパケット化し、該パケット化コンテンツをストリーム形式でデジタル放送用受信機にデジタル放送する方法において、
上記パケット化コンテンツをストリーム形式で送信するステップと、
上記ストリーム形式のパケット化コンテンツのトリックプレイを可能とするトリックプレイ制御情報を送信するステップと、
からなり、
上記トリックプレイ制御情報が、上記パケット化コンテンツのストリームパケットの種別、位置、数、再生時刻情報を含んでいる
ことを特徴とするコンテンツのデジタル放送方法。
【請求項８】
デジタル放送局からストリーム形式で配信され、パケット化された映像や音声の情報を含むコンテンツを受信するデジタル放送用受信機において、
上記ストリーム形式のパケット化コンテンツを受信する受信部と、
上記ストリーム形式のパケット化コンテンツのトリックプレイを可能とするトリックプレイ制御情報を受信する受信部と、
上記受信ストリーム形式のパケット化コンテンツおよびトリックプレイ制御情報を蓄積する蓄積部と、
上記蓄積部のパケット化されたコンテンツを再生復号する再生部と、
上記トリック制御情報が、上記ストリームパケットの種別、位置、数、再生時刻情報を含んでおり、
上記再生部にて上記トリックプレイ制御情報を参照して上記ストリーム形式のパケット化コンテンツのトリックプレイを可能とする
ことを特徴とするコンテンツのデジタル放送受信機。
【請求項９】
映像、音声を含むコンテンツをＭＰＥＧトランスポートストリーム形式でデジタル放送受信機に配信する方法において、
上記ストリームを構成する各トランスポートパケットに、該トランスポートをデジタル放送受信機にてデコードするデコーダへ出力すべき時刻を示す時刻情報を付加し、これらを１つのファイルとして配信するステップと、
上記ストリームのトランスポートパケットのトリックプレイを可能とするトリックプレイ制御情報を配信するステップと、
からなり、
上記トリックプレイ制御情報が、上記トランスポートパケットの種別、位置、数の情報を含み、
上記デコーダによるトランスポートのデコードのとき、上記トリックプレイ制御情報をもって上記デジタル放送受信機側での上記ストリームのトリックプレイを可能とする
ストリームの配信方法。
【請求項１０】
デジタル放送局からＭＰＥＧトランスポートストリーム形式で配信され、パケット化された映像や音声の情報および映像を再生する時刻情報を含むコンテンツを受信するデジタル放送用受信機において、
上記ストリーム形式のパケット化コンテンツを受信する受信部と、
上記ストリーム形式のパケット化コンテンツのトリックプレイを可能とするトリックプレイ制御情報を受信する受信部と、
上記受信ストリーム形式のパケット化コンテンツおよびトリックプレイ制御情報を蓄積する蓄積部と、
上記蓄積部のパケット化されたコンテンツを復号再生する再生部と、
上記トリック制御情報が、上記パケットの種別、位置、数の情報を含んでおり、
上記再生部にて上記トリックプレイ制御情報に基づいて上記ストリーム形式のパケット化コンテンツの映像のトリックプレイを可能とする
ことを特徴とするコンテンツのデジタル放送受信機。
【手続補正２】
【補正対象書類名】明細書
【補正対象項目名】０００４
【補正方法】変更
【補正の内容】
【０００４】
【課題を解決するための手段】本発明はかかる点に鑑み、ストリーム形式のパケット化コンテンツ（ＴＳパケット）のトリックプレイ、例えば映像の早送り、巻き戻し、ダイジェクト再生、サムネール表示等を効率的に実行することが可能なデジタル放送方法、デジタル受信機等を提供することにある。
かかる課題を達成するため、ストリーム形式のパケット化コンテンツ（ＴＳパケット）のトリックプレイを可能とし、ＴＳパケットの種別、位置、数、パケット再生時刻情報を含むトリックプレイ制御情報を送信又は受信し、該トリックプレイ制御情報をもってＴＳパケットのトリックプレイを可能に構成した。
【手続補正３】
【補正対象書類名】明細書
【補正対象項目名】００２２
【補正方法】変更
【補正の内容】
【００２２】
【発明の効果】
本発明によれば、ストリーム（ＴＳパケット）のトリックプレイを効率的、例えば容易にかつ高速に行うことが可能となる。
本発明によれば、ＭＰＥＧトランスポートストリーム形式で蓄積されたストリームの再生を行うことができる。
【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  箱型形状に形成されるボックスにヒータを内装して使用者に発汗作用を行わせるようにするサウナボックスにおいて、奥行寸法と高さ寸法を狭くし、幅寸法のみを稍々広げ、幅方向一側上部に不使用空間部を形成すると共に幅方向他側下部に座部を設けて構成する事を特徴とするサウナボックス。
【請求項２】  前記不使用空間部に、使用者をリラックスさせる娯楽装置を設置可能に構成する事を特徴とする請求項１記載のサウナボックス。
【請求項３】  前記座部の下部に、収納スペースを形成する不使用空間部を設けて構成する事を特徴とする請求項１または２記載のサウナボックス。
【手続補正２】
【補正対象書類名】明細書
【補正対象項目名】０００２
【補正方法】変更
【補正の内容】
【０００２】
【従来の技術】
通常のサウナボックスは、扉を前面に備えたボックス型に形成され、内部に座部と該座部周囲に遠赤外線ヒータを配設して構成され、遠赤外線ヒータの加熱により使用者に発汗作用を行わせるようにしたものが一般的である。
【手続補正３】
【補正対象書類名】明細書
【補正対象項目名】０００７
【補正方法】変更
【補正の内容】
【０００７】
【問題を解決するための手段】
本発明のサウナボックスは、上記各目的を達成すべく、以下のように構成するものである。すなわち、請求項１の本発明のサウナボックスは、箱型形状に形成されるボックスにヒータを内装して使用者に発汗作用を行わせるようにするサウナボックスにおいて、奥行寸法と高さ寸法を狭くし、幅寸法のみを稍々広げ、幅方向一側上部に不使用空間部を形成すると共に幅方向他側下部に座部を設けて構成する事を特徴とするものである。
【手続補正４】
【補正対象書類名】明細書
【補正対象項目名】００１２
【補正方法】変更
【補正の内容】
【００１２】
また、請求項２の本発明では、前記不使用空間部に使用者をリラックスさせる娯楽装置を設置する事ができるよう構成している為、例えばこの不使用空間部にテレビやラジオ等を設置する事で、使用者は娯楽装置で楽しみながら自然な状態で発汗作用を行わせる事ができる。
【手続補正５】
【補正対象書類名】明細書
【補正対象項目名】００１５
【補正方法】変更
【補正の内容】
【００１５】
すなわち本発明のサウナボックスは、箱型形状に形成されるボックスにヒータを内装して使用者に発汗作用を行わせるようにするサウナボックス１であって、奥行寸法と高さ寸法を狭くし、幅寸法のみを稍々広げ、幅方向一側上部に不使用空間部２を形成すると共に幅方向他側下部に座部３を設けて構成し、図7に示したように使用者が該ボックス１の前面に対し横方向に向かって着座できるようにしている。
【手続補正６】
【補正対象書類名】明細書
【補正対象項目名】００２５
【補正方法】変更
【補正の内容】
【００２５】
また、使用者は室内のテレビ２１等を視ながらリラックスした状態で発汗作用を行わせる事ができ、しかもその発汗状態を鏡２２で確認する事もできる。
【手続補正７】
【補正対象書類名】明細書
【補正対象項目名】００２８
【補正方法】変更
【補正の内容】
【００２８】
また、請求項２の本発明では、前記不使用空間部に使用者をリラックスさせる娯楽装置を設置する事ができるよう構成している為、例えばこの不使用空間部にテレビやラジオ等を設置する事で、使用者は娯楽装置で楽しみながらリラックスした自然な状態で発汗作用を行わせる事ができる。
【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】  内径が０．１〜１．０ｍｍの柔軟性を有し、外周に前記中空糸内径側に連通する最低１個の貫通穴があけられた中空糸を、複数本軸方向を平行にして略平面状に配列してなるマット部材と、前記中空糸の軸方向に間隔あけ該軸方向に交差して配設されて各中空糸に係合され、前記マット部材を簾状に保持する複数条の結束部材と、前記マット部材の端部に気密に結合して設けられ、前記各中空糸内径側に連絡する内室を有し、かつ、該内室を外部に連絡する接続管を設けたヘッダーとを備えていることを特徴とする臓器保護用マット。 
【請求項２】 前記マット部材の一端部に設けたヘッダーは、その接続管が吸引ポンプを介して貯血槽にあるいは貯血槽を介して吸引手段に接続されていることを特徴とする請求項１に記載の臓器保護用マット。
【手続補正２】
【補正対象書類名】明細書
【補正対象項目名】０００６
【補正方法】変更
【補正の内容】
【０００６】 
【課題を解決するための手段】
本発明は、前記課題を解決するために、以下の点を特徴としている。すなわち、請求項１に係る臓器保護用マットは、内径が０．１〜１．０ｍｍの柔軟性を有し、外周に前記中空糸内径側に連通する最低１個の貫通穴があけられた中空糸を、複数本軸方向を平行にして略平面状に配列してなるマット部材と、前記中空糸の軸方向に間隔あけ該軸方向に交差して配設されて各中空糸に係合され、前記マット部材を簾状に保持する複数条の結束部材と、前記マット部材の端部に気密に結合して設けられ、前記各中空糸内径側に連絡する内室を有し、かつ、該内室を外部に連絡する接続管を設けたヘッダーとを備えていることを特徴とする。 
【手続補正３】
【補正対象書類名】明細書
【補正対象項目名】０００９
【補正方法】変更
【補正の内容】
【０００９】
また、マット部材の各中空糸には、外周に中空糸内径側に連通する最低１個の貫通穴があけられているので、これらをヘッダーの接続管を吸引することにより、胸腔内に出血した血液は、心筋温度の温度制御に働いた使用済みの溶けたアイススラッシュの水や心筋保護液等と一緒に前記中空糸の外周の貫通穴から中空糸内径側に取り込まれるので、胸腔内から速やかに除去され、手術の妨げの要素がなくなると共に、術野視野が良好になり安全な手術が行える。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
請求項２に係る臓器保護用マットは、請求項１に記載の臓器保護用マットにおいて、マット部材の一端部に設けたヘッダーは、その接続管が吸引ポンプを介して貯血槽に、あるいは貯血槽を介して吸引手段に接続されていることを特徴とする。この臓器保護用マットでは、吸引ポンプでマット部材内を吸引することにより、臓器の周囲の水と血液等との混合液をマット部材内に取り込んで貯血槽に送り、手術や術野視野の妨げ要素を減らすことができる出血吸引機能を有する臓器保護用マットが実現される。
【手続補正１１】
【補正対象書類名】明細書
【補正対象項目名】００１７
【補正方法】削除
【補正の内容】
【手続補正１２】
【補正対象書類名】明細書
【補正対象項目名】００４１
【補正方法】変更
【補正の内容】
【００４１】 
【発明の効果】
以上説明したように、本発明によれば以下の優れた効果を奏する。
請求項１に係る臓器保護用マットによれば、マット部材が、柔軟性を有する中空糸が結束部材によって簾状に保持されているので、冷却水で冷却されても硬化して可撓性（柔軟性）を失うことがなく、心臓等の臓器に密着してその冷却を効率よく行うことができ、臓器温度の制御を確実に行うことができると共に、臓器に優しく接触させることができる。このため、臓器温度の制御のために他の冷却手段を併用しなくてもよいので、臓器温度の調節作業を軽減できると共に、手術の妨げとなる要素が減り、臓器手術の実施と同時進行による使用ができる。したがって、上記臓器保護用マットを使用することにより、手術時間を短くした安全な手術を行うことができて、手術中の患者の負担を軽減させることができる。
また、胸腔内等に出血した血液を、臓器温度の温度制御に働いた使用済みの溶けたアイススラッシュの水や心筋保護液等と一緒に、中空糸の貫通穴から中空糸内径側に容易に取り込むことができるので、これらをヘッダーの接続管に吸引ポンプを接続して吸引すれば、胸腔内等から速やかに除去することができて、手術の妨げの要素がなくなると共に、術野視野が良好になり安全に早く手術を行うことができる。
【手続補正１３】
【補正対象書類名】明細書
【補正対象項目名】００４２
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】削除
【補正の内容】
【手続補正１６】
【補正対象書類名】明細書
【補正対象項目名】００４５
【補正方法】削除
【補正の内容】
【手続補正１７】
【補正対象書類名】明細書
【補正対象項目名】００４６
【補正方法】削除
【補正の内容】
【手続補正１８】
【補正対象書類名】明細書
【補正対象項目名】００４７
【補正方法】変更
【補正の内容】
【００４７】
請求項２できる。
【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  ミトコンドリア局在クレアチンキナーゼアイソザイム（ｍＣＫ）の酵素活性を阻害するモノクローナル抗体。
【請求項２】  前記モノクローナル抗体が、サルコメラｍＣＫの酵素活性を阻害するが、クレアチンキナーゼＭＢアイソザイム（ＣＫ−ＭＢ）、クレアチンキナーゼＭＭアイソザイム（ＣＫ−ＭＭ）およびクレアチンキナーゼＢＢアイソザイム（ＣＫ−ＢＢ）の酵素活性は阻害しない請求項１に記載のモノクローナル抗体。
【請求項３】  受託番号ＦＥＲＭ  ＢＰ−７１３３号により寄託されているハイブリドーマが産生するモノクローナル抗体。
【請求項４】  受託番号ＦＥＲＭ  ＢＰ−７１３３号により寄託されているハイブリドーマ。
【請求項５】  免疫阻害法によりクレアチンキナーゼ（ＣＫ）アイソザイムの酵素活性を測定する方法であって、ミトコンドリア局在クレアチンキナーゼアイソザイム（ｍＣＫ）の酵素活性を阻害するモノクローナル抗体およびクレアチンキナーゼＭ（ＣＫ−Ｍ）サブユニットの酵素活性を阻害する抗体を用いて検体を処理し、処理された検体中の残存するＣＫ活性を測定し、測定されたＣＫ活性に基づいてクレアチンキナーゼＭＢアイソザイム（ＣＫ−ＭＢ）の活性を求めることを特徴とするＣＫ−ＭＢ活性測定法。
【請求項６】  前期ｍＣＫの酵素活性を阻害するモノクローナル抗体が、サルコメラｍＣＫの酵素活性を阻害するが、クレアチンキナーゼＭＢアイソザイム（ＣＫ−ＭＢ）、クレアチンキナーゼＭＭアイソザイム（ＣＫ−ＭＭ）およびクレアチンキナーゼＢＢアイソザイム（ＣＫ−ＢＢ）の酵素活性は阻害しない請求項５に記載のＣＫ−ＭＢ活性測定方法。
【請求項７】  ＣＫ−Ｍサブユニットの酵素活性を阻害する抗体およびｍＣＫの酵素活性を阻害するモノクローナル抗体を一つの工程中で同時に作用させることを特徴とする請求項５または６に記載のＣＫ−ＭＢ測定法。
【請求項８】  ＣＫ−Ｍサブユニットの酵素活性を阻害する抗体およびｍＣＫの酵素活性を阻害するモノクローナル抗体を別々の工程で作用させることを特徴とする請求項５または６に記載のＣＫ−ＭＢ測定法。
【請求項９】  免疫阻害法によりクレアチンキナーゼＭＢアイソザイム（ＣＫ−ＭＢ）の酵素活性を測定するための試薬であって、クレアチンキナーゼＭ（ＣＫ−Ｍ）サブユニットの酵素活性を阻害する抗体およびミトコンドリア局在クレアチンキナーゼアイソザイム（ｍＣＫ）の酵素活性を阻害するモノクローナル抗体を含むことを特徴とするＣＫ−ＭＢ活性測定試薬。
【請求項１０】  前記ｍＣＫの酵素活性を阻害するモノクローナル抗体が、サルコメラｍＣＫの酵素活性を阻害するが、クレアチンキナーゼＭＢアイソザイム（ＣＫ−ＭＢ）、クレアチンキナーゼＭＭアイソザイム（ＣＫ−ＭＭ）およびクレアチンキナーゼＢＢアイソザイム（ＣＫ−ＢＢ）の酵素活性は阻害しない請求項９に記載のＣＫ−ＭＢ活性測定試薬。
【手続補正書】
【提出日】平成19年5月29日(2007.5.29)
【手続補正１】
【補正対象書類名】明細書
【補正対象項目名】特許請求の範囲
【補正方法】変更
【補正の内容】
【特許請求の範囲】
【請求項１】
ゲーム画面を表示する表示画面と、
前記表示画面に設けられ、接触位置を検出するタッチパネルと、
前記タッチパネルの検出位置に応じて、前記表示画面に表示されるゲームのオブジェクトを変化するゲーム処理ユニットとを有し、
前記ゲーム処理ユニットは、
連続する前記タッチパネルの検出位置から接触速度を検出して、前記オブジェクトの速度を変化することを
特徴とする電子ゲーム装置。
【請求項２】  
前記ゲーム処理ユニットは、
前記タッチパネルの検出位置及び接触回数に応じて、前記オブジェクトを変化することを
特徴とする請求項１の電子ゲーム装置。
【請求項３】  
物体の接触位置を検出する入力手段と、
前記入力手段に物体が移動しながら接触したことを検出して、検出された複数の位置座標を用いて、所定の演算を行い、ゲームの操作情報として使用するゲーム処理ユニットとを有することを
特徴とする電子ゲーム装置。
【請求項４】  
前記ゲーム処理ユニットは、
前記検出された位置座標の推移から移動速度を計算し、前記計算された移動速度を前記ゲームの操作情報として使用することを
特徴とする請求項３の電子ゲーム装置。
【請求項５】  
前記ゲーム処理ユニットは、
前記検出された位置座標の推移から移動方向を計算し、前記計算された移動方向を前記ゲームの操作情報として使用することを
特徴とする請求項３又は４の電子ゲーム装置。
【請求項６】  
前記ゲーム処理ユニットは、
前記計算された移動速度が所定値に達しているか否かを判定し、判定結果を前記ゲームの操作情報として使用することを
特徴とする請求項４の電子ゲーム装置。
【請求項７】  
前記ゲーム処理ユニットは、
前記計算された移動方向の変位量が所定値に達しているか否かを判定し、判定結果を前記ゲームの操作情報として使用することを
特徴とする請求項５の電子ゲーム装置。
【請求項８】  
前記ゲーム処理ユニットは、
前記算出された移動速度がゼロとなった時点から所定時間内に移動した距離を計算し、前記計算された距離を前記ゲームの操作情報として使用することを
特徴とする請求項４の電子ゲーム装置。
【請求項９】  
物体の接触位置を検出する入力手段と、
前記入力手段に物体が移動しながら接触したことを検出して、検出された複数の位置座標の推移から、移動速度と移動方向とを計算し、計算された移動速度をゲームのオブジェクトの速度制御に用い、前記検出された移動方向を前記オブジェクトの移動方向制御に使用するゲーム処理ユニットとを有することを
特徴とする電子ゲーム装置。
【請求項１０】  
ゲーム画面を表示する表示画面に設けられたタッチパネルから、前記表示画面の接触位置を検出するステップと、
前記タッチパネルの検出位置に応じて、前記表示画面に表示されるゲームのオブジェクトを変化するゲーム処理ステップとを有し、
前記ゲーム処理ステップは、
連続する前記タッチパネルの検出位置から接触速度を検出して、前記オブジェクトの速度を変化することを
特徴とする電子ゲーム方法。
【請求項１１】  
前記ゲーム処理ステップは、
前記タッチパネルの検出位置及び接触回数に応じて、前記オブジェクトを変化することを
特徴とする請求項１０の電子ゲーム方法。
【請求項１２】  
物体の接触位置を入力手段で検出する入力ステップと、
前記入力手段に物体が移動しながら接触したことを検出して、検出された複数の位置座標を用いて、所定の演算を行い、ゲームの操作情報として使用するゲーム処理ステップとを有することを
特徴とする電子ゲーム方法。
【請求項１３】  
前記ゲーム処理ステップは、
前記検出された位置座標の推移から移動速度を計算し、前記計算された移動速度を前記ゲームの操作情報として使用することを
特徴とする請求項１２の電子ゲーム方法。
【請求項１４】  前記ゲーム処理ステップは、
前記検出された位置座標の推移から移動方向を計算し、前記計算された移動方向を前記ゲームの操作情報として使用することを
特徴とする請求項１２又は１３の電子ゲーム方法。
【請求項１５】  
前記ゲーム処理ステップは、
前記計算された移動速度が所定値に達しているか否かを判定し、判定結果を前記ゲームの操作情報として使用することを
特徴とする請求項１３の電子ゲーム方法。
【請求項１６】
前記ゲーム処理ステップは、
前記計算された移動方向の変位量が所定値に達しているか否かを判定し、判定結果を前記ゲームの操作情報として使用することを
特徴とする請求項１４の電子ゲーム方法。
【請求項１７】
前記ゲーム処理ステップは、
前記算出された移動速度がゼロとなった時点から所定時間内に移動した距離を計算し、前記計算された距離を前記ゲームの操作情報として使用することを
特徴とする請求項１３の電子ゲーム方法。
【請求項１８】  
物体の接触位置を入力手段で検出する入力ステップと、
前記入力手段に物体が移動しながら接触したことを検出して、検出された複数の位置座標の推移から、移動速度と移動方向とを計算し、計算された移動速度をゲームのオブジェクトの速度制御に用い、前記検出された移動方向を前記オブジェクトの移動方向制御に使用するゲーム処理ステップとを有することを
特徴とする電子ゲーム方法。
【請求項１９】  
ゲーム画面を表示する表示画面に設けられたタッチパネルから、前記表示画面の接触位置を検出するステップと、
前記タッチパネルの検出位置に応じて、前記表示画面に表示されるゲームのオブジェクトを変化するゲーム処理ステップとを、コンピュータに実行させるプログラムを記憶したことを
特徴とする記憶媒体。
【手続補正２】
【補正対象書類名】明細書
【補正対象項目名】０００９
【補正方法】変更
【補正の内容】
【０００９】
【課題を解決するための手段】
この目的の達成のため、本発明の一態様の電子ゲーム装置は、ゲーム画面を表示する表示画面と、前記表示画面に設けられ、接触位置を検出するタッチパネルと、前記タッチパネルの検出位置に応じて、前記表示画面に表示されるゲームのオブジェクトを変化するゲーム処理ユニットとを有し、前記ゲーム処理ユニットは、連続する前記タッチパネルの検出位置から接触速度を検出して、前記オブジェクトの速度を変化する。又、電子ゲーム方法は、ゲーム画面を表示する表示画面に設けられたタッチパネルから、前記表示画面の接触位置を検出するステップと、前記タッチパネルの検出位置に応じて、前記表示画面に表示されるゲームのオブジェクトを変化するゲーム処理ステップとを有し、前記ゲーム処理ステップは、連続する前記タッチパネルの検出位置から接触速度を検出して、前記オブジェクトの速度を変化する。更に、記憶媒体は、ゲーム画面を表示する表示画面に設けられたタッチパネルから、前記表示画面の接触位置を検出するステップと、前記タッチパネルの検出位置に応じて、前記表示画面に表示されるゲームのオブジェクトを変化するゲーム処理ステップとを、コンピュータに実行させるプログラムを記憶した。
【手続補正書】
【提出日】平成19年2月27日(2007.2.27)
【手続補正１】
【補正対象書類名】明細書
【補正対象項目名】発明の名称
【補正方法】変更
【補正の内容】
【発明の名称】遊技機
【手続補正２】
【補正対象書類名】明細書
【補正対象項目名】特許請求の範囲
【補正方法】変更
【補正の内容】
【特許請求の範囲】
【請求項１】  球補給設備からの球供給を受けるタンクから遊技機の前面側に球を払出す球払出機構が導電性合成樹脂製の縦長な機構ベースと合成樹脂製の縦長なアクチュエータケースと導電性合成樹脂製の縦長な球払出樋ケースと導電性合成樹脂製の計数ユニットとを備えたことを特徴とする遊技機。
【請求項２】  アクチュエータケースは払出アクチュエータとしての電磁ソレノイドと電磁ソレノイドにリンク機構を介して連結された球払出爪と復帰用ばねとを備え、球払出樋ケースは球検出器及び通路切替機構を有したことを特徴とする請求項１記載の遊技機。
【請求項３】  計数ユニットは前後に分割可能な導電性合成樹脂製のケースに導電性合成樹脂製のスプロケットを回転可能に内蔵すると共に球検出器を備えたことを特徴とする請求項１記載の遊技機。
【手続補正３】
【補正対象書類名】明細書
【補正対象項目名】０００１
【補正方法】変更
【補正の内容】
【０００１】
【発明の属する技術分野】
本発明はパチンコ機やスロットマシン等の遊技機において遊技媒体として使用される金属球と球通路を形成する合成樹脂部材との接触後の分離や剥離に起因する静電気の影響を抑制した遊技機に関する。
【手続補正４】
【補正対象書類名】明細書
【補正対象項目名】０００４
【補正方法】変更
【補正の内容】
【０００４】
そこで、本発明は、金属球と合成樹脂部材との接触後の分離や剥離による静電気の影響を抑制することができる遊技機を提供するものである。
【手続補正５】
【補正対象書類名】明細書
【補正対象項目名】０００５
【補正方法】変更
【補正の内容】
【０００５】
【課題を解決するための手段】
本発明に係る遊技機は、球補給設備からの球供給を受けるタンクから遊技機の前面側に球を払出す球払出機構が導電性合成樹脂製の縦長な機構ベースと合成樹脂製の縦長なアクチュエータケースと導電性合成樹脂製の縦長な球払出樋ケースと導電性合成樹脂製の計数ユニットとを備えたことを特徴としている。アクチュエータケースは払出アクチュエータとしての電磁ソレノイドと電磁ソレノイドにリンク機構を介して連結された球払出爪と復帰用ばねとを備え、球払出樋ケースは球検出器及び通路切替機構を有したり、計数ユニットは前後に分割可能な導電性合成樹脂製のケースに導電性合成樹脂製のスプロケットを回転可能に内蔵すると共に球検出器を備えたりしてもよい。よって、本発明に係る遊技機よれば、球払出機構で発生する静電気の放電によって生じる電磁波が電線に入力されることを抑制し、静電気によるノイズが原因である電気制御回路の誤動作が解消される。
【手続補正書】
【提出日】平成19年6月14日(2007.6.14)
【手続補正１】
【補正対象書類名】明細書
【補正対象項目名】特許請求の範囲
【補正方法】変更
【補正の内容】
【特許請求の範囲】
【請求項１】
遊技の制御を司る制御手段と、前記制御手段を被包する被包部材とを備えるとともに、前記被包部材を略閉鎖状態にて維持するための閉鎖維持手段を備えた遊技機において、
前記略閉鎖状態を維持したまま前記制御手段に予め記憶された事項の確認を行うことができるよう構成するとともに、前記閉鎖維持手段の維持機能を損なわせることで前記略閉鎖状態を解除可能とし、該閉鎖維持手段の維持機能が損なわれた場合には自身の再度の使用が不能となるよう構成したことを特徴とする遊技機。
【請求項２】
前記被包部材は第１の被包部材及び第２の被包部材が互いに接合されることによって構成され、
前記閉鎖状態維持手段は、前記接合状態で前記第１の被包部材及び第２の被包部材を封印状態に維持するとともに、封印解除に伴いそのことが痕跡となって残存しうるものであることを特徴とする請求項１に記載の遊技機。
【請求項３】
前記制御手段は、少なくとも遊技にかかわる制御とは切り離された事項を予め記憶してなる独立記憶部を有しており、前記略閉鎖状態を維持したまま前記独立記憶部と外部確認装置との間で前記確認のための通信を行うことができるよう通信端子を前記被包部材の所定部位に対応して設けたことを特徴とする請求項１又は２に記載の遊技機。
【手続補正書】
【提出日】平成19年2月21日(2007.2.21)
【手続補正１】
【補正対象書類名】明細書
【補正対象項目名】００１６
【補正方法】変更
【補正の内容】
【００１６】
実施例 １
フック糸がナイロン−６６からなる３３０デニールのモノフィラメント、基布がナイロン−６６からなる４．６デニールのフィラメントが２４本集束したマルチフィラメント糸からなる面ファスナーの基布裏面にポリウレタン系コート層（クリスボンAH-825大日本インキ化学工業（株）：３次元架橋タイプ、塗布量（固形分）： ３５ｇ／ｍ2 ）を有したものにウレタン系接着剤（セイカボンドＵ−５０７大日精化工業（株））を固形分で５０ｇ／ｍ2 塗布して乾燥後、アジピン酸ポリアミド系樹脂層（層厚さ：３０μｍ、融点：１４０℃）とＥＶＡからなるポリオレフィン系樹脂層（層厚さ：３０μｍ、融点：１００℃）からなる融着用積層フィルムをナイロン層面で、該ウレタン系接着剤と接するようにして、温度１３５±５℃に設定した加熱ローラーに速度２．５ｍ／分にて通し、熱融着を実施した。得られた面ファスナーは、積層フィルムが強固にウレタン系接着剤と融着していた。
得られた面ファスナーを、各種オレフィン被着体（フィルム）に、高周波ウェルダー（富士電波工機（株））熱融着し、接着力を測定した結果を表１に示す。
【手続補正書】
【提出日】平成19年6月18日(2007.6.18)
【手続補正１】
【補正対象書類名】明細書
【補正対象項目名】特許請求の範囲
【補正方法】変更
【補正の内容】
【特許請求の範囲】
【請求項１】   底面に塵埃を吸引するための横長の開口を有する本体ケースに回転ロータを前記開口の近傍に備えた掃除機用床ノズルにおいて、前記回転ロータを構成する清掃体は長尺の繊維束を蛇行状に折曲した所定幅の帯板状体の長手方向両縁部に紐状の取付用部材を縫付、編込、接着等の手段で各々固着させて構成し、前記清掃体をその幅方向の中央付近で折り返して、両縁の前記取付用部材を各々ロータに設けられた外周に開口する複数条の支持溝に挿入固定することにより前記清掃体の自由端にループパイル部を形成したことを特徴とする掃除機用床ノズル。
【請求項２】   底面に塵埃を吸引するための横長の開口及び該開口の前方あるいは後方又はその両方に清掃体を有する掃除機用床ノズルにおいて、清掃体は長尺の繊維束を蛇行状に折曲した所定幅の帯板状体の長手方向両縁部に紐状の取付用部材を縫付、編込、接着等の手段で各々固着させて構成し、前記清掃体をその幅方向の中央付近で折り返して、両縁の前記取付用部材を各々前記床ノズルの底面に設けた前記清掃体取付用の支持溝に挿入固定することにより前記清掃体の自由端にループパイル部を形成したことを特徴とする掃除機用床ノズル。
【請求項３】  底面に塵埃を吸引するための横長の開口を有する本体ケースに回転ロータを前記開口の近傍に備えた掃除機用床ノズルにおいて、前記回転ロータを構成する清掃体は長尺の繊維束を蛇行状に折曲した所定幅の帯板状体の長手方向両縁部に紐状の取付用部材を縫付、編込、接着等の手段で各々固着させて構成し、前記清掃体をその幅方向の中央付近で折り返して、両縁の前記取付用部材を各々ロータに設けられた外周に開口する複数条の螺旋状に形成された支持溝に挿入固定することにより前記清掃体を螺旋状にし、該清掃体の自由端にループパイル部を形成したことを特徴とする掃除機用床ノズル。
【手続補正書】
【提出日】平成19年6月14日(2007.6.14)
【手続補正１】
【補正対象書類名】明細書
【補正対象項目名】特許請求の範囲
【補正方法】変更
【補正の内容】
【特許請求の範囲】
【請求項１】
撮像素子としてのＣ−ＭＯＳイメージセンサ及び照明手段としてのＬＥＤを内蔵した撮像アダプタを、内視鏡挿入部の先端部に着脱自在に設けた内視鏡において、
前記撮像アダプタ内に、
前記Ｃ−ＭＯＳイメージセンサに電源を供給する第１の電源回路基板と、
前記ＬＥＤに電源を供給する第２の電源回路基板とを設けるとき、
前記Ｃ−ＭＯＳイメージセンサの温度が、前記電源回路基板の発する熱によって所定温度以上に上昇することを防止する温度上昇制御手段を設けた
ことを特徴とする内視鏡。
【請求項２】
前記温度上昇制御手段は、
前記第１の電源回路基板と前記第２の電源回路基板との配置位置関係であり、
多くの熱を発する回路基板を、前記Ｃ−ＭＯＳイメージセンサより離間した位置に配置した
ことを特徴とする請求項１記載の内視鏡。
【請求項３】
前記第１の電源回路基板と前記第２の電源回路基板との間に熱遮断部材を配置した
ことを特徴とする請求項１又は２記載の内視鏡。
【請求項４】
前記熱遮断部材は
発泡樹脂である
ことを特徴とする請求項３記載の内視鏡。
【請求項５】
前記温度上昇制御手段は、
前記第１の電源回路基板又は前記第２の電源回路基板の少なくとも一方に設けた放熱板である
ことを特徴とする請求項１記載の内視鏡。
【請求項６】
前記温度上昇制御手段は、
前記第１の電源回路基板と前記第２の電源回路基板とを間隔を設けた状態で一体的に固定する接着剤と、
前記第１の電源回路基板側を冷却側とするために、前記接着剤の部分に設けたペルチェ素子と、
前記第２の電源回路基板に設けた放熱板と、を備える
ことを特徴とする請求項１記載の内視鏡。
【請求項７】
前記温度上昇制御手段は、
前記ＬＥＤの光量を変化させる光量切り換え手段である
ことを特徴とする請求項１記載の内視鏡。
【請求項８】
前記光量切り換え手段は、
前記ＬＥＤに流れる電圧を回転又はスライド操作することで制御する抵抗値可変手段である
ことを特徴とする請求項７記載の内視鏡。
【請求項９】
前記光量切り換え手段は、
前記ＬＥＤに接続される複数の電源手段と前記ＬＥＤに接続する電源を選択するスイッチとを有する
ことを特徴とする請求項７記載の内視鏡。
【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  固定枠と、この固定枠に対して回転可能に支持された略円形状の回転枠と、この回転枠に取り付けられたＸ線管と、このＸ線管から出射され被検体を透過したＸ線を検出するＸ線検出器と、このＸ線検出器の出力と前記回転枠の回転による前記Ｘ線管の回転位置とに基づいて前記被検体の断層画像データを再構成するコンピュータ部とを有するＸ線コンピュータ断層撮影装置において、
前記Ｘ線管の回転位置を検出する磁気抵抗式センサを有することを特徴とするＸ線コンピュータ断層撮影装置。
【請求項２】  固定枠と、この固定枠に回転可能に支持された略円形状の回転枠と、この回転枠に取り付けられたＸ線管と、このＸ線管から出射され被検体を透過したＸ線を検出するＸ線検出器と、前記回転枠を回転駆動する回転駆動部と、前記回転枠の回転による前記Ｘ線管の回転位置を検出する回転位置検出部と、前記Ｘ線検出器の出力と前記Ｘ線管の回転位置とに基づいて前記被検体の断層画像データを再構成するコンピュータ部とを有するＸ線コンピュータ断層撮影装置において、
前記回転位置検出部は、前記回転枠又は前記固定枠に取り付けられるとともに所定間隔で凹凸を設けた円周を有する略円管状の磁性体で構成される検出歯車と、前記固定枠又は前記回転枠のうち前記検出歯車のない側に取り付けられるとともに前記凹凸を検出する磁気抵抗式センサとを有することを特徴とするＸ線コンピュータ断層撮影装置。
【請求項３】  前記回転駆動部は、前記回転枠を直接的に回転するダイレクトドライブ方式のモータであり、このダイレクトドライブ方式モータのコイルと前記磁気抵抗式センサとの間には磁気シールド板が設けられることを特徴とする請求項２記載のＸ線コンピュータ断層撮影装置。
【請求項４】  前記検出歯車の側面にはスリットが形成されていることを特徴とする請求項２記載のＸ線コンピュータ断層撮影装置。
【請求項５】  前記スリットの端面は回転軸に対して斜めに形成されていることを特徴とする請求項４記載のＸ線コンピュータ断層撮影装置。
【請求項６】  前記検出歯車の側面には放射状に溝が形成されていることを特徴とする請求項２記載のＸ線コンピュータ断層撮影装置。
【請求項７】  前記検出歯車は、はすば歯形を有することを特徴とする請求項２記載のＸ線コンピュータ断層撮影装置。
【請求項８】  前記検出歯車は、インボリュート歯車であることを特徴とする請求項２記載のＸ線コンピュータ断層撮影装置。
【請求項９】  前記回転位置検出部は、前記磁気抵抗式センサの出力に基づいてパルス列を発生するパルス発生回路をさらに有することを特徴とする請求項２記載のＸ線コンピュータ断層撮影装置。
【請求項１０】  前記パルス発生回路は、前記磁気抵抗式センサの出力の変動周期を測定する周期測定回路と、前記測定した変動周期に従ってパルス列を発生するパルス生成回路とを有することを特徴とする請求項９記載のＸ線コンピュータ断層撮影装置。
【請求項１１】  前記周期測定回路は、前記磁気抵抗式センサの出力変動に伴うゼロクロス点を検出するコンパレータと、前記検出したゼロクロス点から前記変動周期を測定する時間測定タイマーとを有することを特徴とする請求項１０記載のＸ線コンピュータ断層撮影装置。
【請求項１２】  前記パルス生成回路は、前記測定した変動周期の１／ｎの時間を求める測定時間除算回路と、前記求めた時間を周期としてパルスを発生するパルス発生カウンタとを有することを特徴とする請求項１１記載のＸ線コンピュータ断層撮影装置。
【請求項１３】  前記回転位置検出部は、前記磁気抵抗式センサの出力に基づいて第１のパルス列を発生する第１のパルス生成回路と、前記磁気抵抗式センサの出力に基づいて第２のパルス列を発生する第２のパルス生成回路とをさらに有し、前記第２のパルス列は前記第１のパルス列に対してｎ倍の周波数を有することを特徴とする請求項２記載のＸ線コンピュータ断層撮影装置。
【請求項１４】  前記第２のパルス列の前記第１のパルス列に対する時間遅れは、少なくとも前記第１のパルス列の２周期以上の長さであることを特徴とする請求項１３記載のＸ線コンピュータ断層撮影装置。
【請求項１５】  前記第１のパルス列は前記回転枠の回転駆動制御に用いられ、前記第２のパルス列は前記断層画像データの再構成に用いられることを特徴とする請求項１３記載のＸ線コンピュータ断層撮影装置。
【請求項１６】  固定枠と、この固定枠に回転可能に支持された略円形状の回転枠と、この回転枠に取り付けられたＸ線管と、このＸ線管から出射され被検体を透過したＸ線を検出するためのＸ線検出器と、前記回転枠を回転駆動する回転駆動部と、前記回転枠にの回転による前記Ｘ線管の回転位置を検出する回転位置検出部と、前記Ｘ線検出器の出力と前記Ｘ線管の回転位置とに基づいて前記被検体の断層画像データを再構成するコンピュータ部とを有するＸ線コンピュータ断層撮影装置において、
前記回転位置検出部は、前記回転枠又は前記固定枠に取り付けられるとともに所定間隔で凹凸を設けた円周を有する略円管状の磁性体で構成される検出歯車と、前記固定枠又は前記回転枠のうち前記検出歯車のない側に取り付けられるとともに前記凹凸を検出する光学的センサとを有することを特徴とするＸ線コンピュータ断層撮影装置。
【請求項１７】  前記検出歯車の凸部は凹部よりも高い光反射率を有することを特徴とする請求項１６記載のＸ線コンピュータ断層撮影装置。
【請求項１８】  前記検出歯車の凸部には凹部に比較して高い光反射率の膜が形成されていることを特徴とする請求項１６記載のＸ線コンピュータ断層撮影装置。
【請求項１９】  前記検出歯車の凹部には凸部に比較して低い光反射率の膜が形成されていることを特徴とする請求項１６記載のＸ線コンピュータ断層撮影装置。
【手続補正２】
【補正対象書類名】明細書
【補正対象項目名】００１９
【補正方法】変更
【補正の内容】
【００１９】
次に、磁気抵抗式センサ２２の出力波形に基づいてパルス列を出力するパルス発生回路について説明する。図１２には、磁気抵抗式センサ２２の出力波形の変動に応じてパルス列を出力するパルス発生回路の構成を示している。ここでは、検出歯車２１の歯２３の数は４３２個として説明する。磁気抵抗式センサ２２の出力は、エンコーダ（第１のパルス生成回路）３１と、パルス生成回路（第２のパルス生成回路）３２との２系統に分配される。前者のエンコーダ３１は、磁気抵抗式センサ２２の出力波形の波高値に基づいて、同じ周波数でパルスを発生するもので、従って、１回転あたり、４３２個のパルスが発生される。このエンコーダ３１は、磁気抵抗式センサ２２の出力からパルス出力までがほぼリアルタイムではあるが、パルス精度（回転位置測定精度）が波形歪みに対する依存性があるという特性を備えており、そのリアルタイム性を利用して、ダイレクトドライブモータへのフィードバック制御に用いることが有効である。
【手続補正３】
【補正対象書類名】図面
【補正対象項目名】図８
【補正方法】変更
【補正の内容】
【図８】
2002000598.tif 000001
【手続補正４】
【補正対象書類名】図面
【補正対象項目名】図１０
【補正方法】変更
【補正の内容】
【図１０】
2002000598.tif 000002
【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】  放射線画像を撮影する撮影手段と、
前記撮影手段の動作状況を診断する診断手段と、
前記診断手段の診断結果に応じて、前記撮影手段の動作状況に関する情報を保守装置に対して送信する送信手段と、
前記撮影手段の動作状況に関する情報の量を制御する制御手段とを有することを特徴とする放射線撮影画像処理装置。
【請求項２】  前記撮影手段の動作状況に関する情報には、放射線撮影画像が含まれることを特徴とする請求項１に記載の放射線撮影画像処理装置。
【請求項３】  更に、前記放射線撮影画像の一部の領域を抽出する抽出手段を有し、前記制御手段は、該一部の領域の放射線撮影画像を送信することを特徴とする請求項２に記載の放射線撮影画像処理装置。
【請求項４】  更に、前記放射線画像を圧縮する圧縮手段を有し、前記制御手段は、該圧縮手段により圧縮された画像データを送信することを特徴とする請求項２に記載の放射線撮影画像処理装置。
【請求項５】  前記圧縮手段は圧縮なしと非可逆圧縮と可逆圧縮の少なくとも一つが実行可能であることを特徴とする請求項４に記載の放射線撮影画像処理装置。
【請求項６】  前記圧縮手段は前記放射線画像の情報量が閾値以下のときは可逆圧縮を行い閾値より大きいときは非可逆圧縮を行うことを特徴とする請求項４に記載の放射線撮影画像処理装置。
【請求項７】  前記圧縮手段は深さ方向の情報量を圧縮することを特徴とする請求項４に記載の放射線撮影画像処理装置。
【請求項８】  前記圧縮手段は画像の空間周波数情報を圧縮することを特徴とする請求項４に記載の放射線撮影画像処理装置。
【請求項９】  前記放射線撮影画像処理装置と前記保守装置の少なくとも一方に、放射線撮影画像処理装置の異常情報を蓄積するデータベースを具備することを特徴とする請求項１に記載の放射線撮影画像処理装置。
【請求項１０】  前記データベースは該データベースが保有していない異常情報が発生した場合に該データベースを更新することを特徴とする請求項９に記載の放射線撮影画像処理装置。
【請求項１１】  前記放射線撮影画像処理装置と前記保守装置の両者はそれぞれ異常解析手段を有し、保守装置の異常解析手段の解析内容は放射線撮影画像処理装置の異常解析手段が有するすべての解析内容を内包しかつ放射線撮影画像処理装置の異常解析手段より多くの解析内容を具備することを特徴とする請求項１に記載の放射線撮影画像処理装置。
【請求項１２】  前記放射線撮影画像処理装置と前記保守装置の少なくとも一方は画像解析手段を具備することを特徴とする請求項１に記載の放射線撮影画像処理装置。
【請求項１３】  前記画像解析手段は前記放射線撮影画像処理装置の画素欠陥解析と統計解析とアーティファクト解析と周波数解析とテンプレートマッチング解析の少なくとも一つの解析手段を具備することを特徴とする請求項１２に記載の放射線撮影画像処理装置。
【手続補正２】
【補正対象書類名】明細書
【補正対象項目名】００１４
【補正方法】変更
【補正の内容】
【００１４】
【課題を解決するための手段】
上記課題を解決するため、本願の放射線撮影画像処理装置は、放射線画像を撮影する撮影手段と、前記撮影手段の動作状況を診断する診断手段と、前記診断手段の診断結果に応じて、前記撮影手段の動作状況に関する情報を保守装置に対して送信する送信手段と、前記撮影手段の動作状況に関する情報の量を制御する制御手段とを有することを特徴とする。